(57)【要約】【課題】不整脈を自動的に識別及び表示するためのシステムを提供すること。【解決手段】一実施形態は、被験者の身体に貼付されるように構成され、被験者の心臓の電気的活動に応答して信号を出力するように構成された複数の電極と、ディスプレイと、プロセッサであって、心臓の様々なタイプの不整脈に対応する一連のテンプレートを格納することと、信号にこれらのテンプレートを適用して、信号の１つ以上の異なる時間セクションを不整脈タイプのそれぞれ１つに関連付けることと、信号の少なくとも一部及び、信号の少なくとも一部の異なる時間セクションを、これらが関連付けられている不整脈タイプのそれぞれ１つとして識別するグラフィカルな識別情報を含むユーザインターフェース画面をディスプレイにレンダリングすることと、を行うように構成されている、プロセッサと、を備える医療システムを含む。【選択図】図１
2020093096.tif 000002
【特許請求の範囲】
【請求項１】
不整脈を自動的に識別及び表示するためのシステムであって、
被験者の身体に貼付されるように構成され、前記被験者の心臓の電気的活動に応答して信号を出力するように構成された複数の電極と、
ディスプレイと、
プロセッサであって、
前記心臓の様々な不整脈タイプに対応する一連のテンプレートを格納することと、
前記テンプレートを前記信号に適用して、前記信号の１つ以上の異なる時間セクションを前記不整脈タイプのそれぞれ１つに関連付けることと、
前記信号の少なくとも一部及び、前記信号の少なくとも前記一部の前記異なる時間セクションを、これらが関連付けられている前記不整脈タイプの前記それぞれ１つとして識別するグラフィカルな識別情報を含むユーザインターフェース画面を前記ディスプレイにレンダリングすることと、
を行うように構成されている、プロセッサと、
を備える、システム。
【請求項２】
前記グラフィカルな識別情報が、前記不整脈タイプの異なる１つに対して異なる色を使用する色分けされた識別情報である、請求項１に記載のシステム。
【請求項３】
前記グラフィカルな識別情報が、前記信号の少なくとも前記一部の下又は上のボックス内に配置される、請求項２に記載のシステム。
【請求項４】
プロセッサが、前記信号に関連付けられた前記不整脈タイプの相対的な割合を計算することと、前記信号の少なくとも前記一部、前記グラフィカルな識別情報、及び前記信号に関連付けられた前記不整脈タイプの前記相対的な割合を示す統計を含む前記ユーザインターフェース画面を前記ディスプレイにレンダリングすることと、を行うように構成されている、請求項２に記載のシステム。
【請求項５】
前記統計が、複数の凡例キーを有する色分けされた凡例内に配置され、各凡例キーが、前記色分けされた識別情報の１つに対応する前記不整脈タイプの１つをテキスト形式で記述する、請求項４に記載のシステム。
【請求項６】
プロセッサが、前記信号に関連付けられた前記不整脈タイプの相対的な割合を計算することと、前記信号の少なくとも前記一部、前記グラフィカルな識別情報、及び前記信号に関連付けられた前記不整脈タイプの前記相対的な割合を示す統計を含む前記ユーザインターフェース画面を前記ディスプレイにレンダリングすることと、を行うように構成されている、請求項１に記載のシステム。
【請求項７】
プロセッサが、前記心臓の分析に使用される要素の変動を説明する別の信号の少なくとも一部と、前記要素の前記変動の異なる範囲を有する前記別の信号の少なくとも前記一部の異なる複数のセクションを識別するグラフィカルな識別情報と、を含む別のユーザインターフェース画面を前記ディスプレイにレンダリングするように構成されており、前記要素が、プローブによって加えられる力、前記プローブへの組織の近接度、前記プローブの速度、サイクル長、前記プローブの位置の安定性、及び局所興奮到達時間（ＬＡＴ）の安定性のうちのいずれか１つから選択される、請求項１に記載のシステム。
【請求項８】
前記プロセッサが、前記要素の前記変動の前記異なる範囲の相対的な割合を示す統計も含むように前記別のユーザインターフェース画面を生成するように構成されている、請求項７に記載のシステム。
【請求項９】
不整脈を自動的に識別及び表示するための方法であって、
被験者の心臓の電気的活動に応答して、前記被験者の身体に貼付された複数の電極により出力された信号を受信することと、
前記心臓の様々な不整脈タイプに対応する一連のテンプレートを格納することと、
前記テンプレートを前記信号に適用して、前記信号の１つ以上の異なる時間セクションを前記不整脈タイプのそれぞれ１つに関連付けることと、
前記信号の少なくとも一部、及び前記信号の少なくとも前記一部の前記異なる時間セクションを、これらが関連付けられている前記不整脈タイプの前記それぞれ１つとして識別するグラフィカルな識別情報を含むユーザインターフェース画面をディスプレイにレンダリングすることと、
を含む、方法。
【請求項１０】
前記グラフィカルな識別情報が、前記不整脈タイプの異なる１つに対して異なる色を使用する色分けされた識別情報である、請求項９に記載の方法。
【請求項１１】
前記グラフィカルな識別情報が、前記信号の少なくとも前記一部の下又は上のボックス内に配置される、請求項１０に記載の方法。
【請求項１２】
前記信号に関連付けられた前記不整脈タイプの相対的な割合を計算することを更に含み、前記レンダリングが、前記信号の少なくとも前記一部、前記グラフィカルな識別情報、及び前記信号に関連付けられた前記不整脈タイプの前記相対的な割合を示す統計を含む前記ユーザインターフェース画面を前記ディスプレイにレンダリングすることを含む、請求項１０に記載の方法。
【請求項１３】
前記統計が、複数の凡例キーを有する色分けされた凡例内に配置され、各凡例キーは、前記色分けされた識別情報の１つに対応する前記不整脈タイプの１つをテキスト形式で記述する、請求項１２に記載の方法。
【請求項１４】
前記信号に関連付けられた前記不整脈タイプの相対的な割合を計算することを更に含み、前記レンダリングが、前記信号の少なくとも前記一部、前記グラフィカルな識別情報、及び前記信号に関連付けられた前記不整脈タイプの前記相対的な割合を示す統計を含む前記ユーザインターフェース画面を前記ディスプレイにレンダリングすることを含む、請求項９に記載の方法。
【請求項１５】
前記心臓の分析に使用される要素の変動を説明する別の信号の少なくとも一部と、前記要素の前記変動の異なる範囲を有する前記別の信号の少なくとも前記一部の異なる複数のセクションを識別するグラフィカルな識別情報と、を含む別のユーザインターフェース画面を前記ディスプレイにレンダリングすることを更に含み、前記要素は、プローブによって加えられる力、前記プローブへの組織の近接度、前記プローブの速度、サイクル長、前記プローブの位置の安定性、及び局所興奮到達時間（ＬＡＴ）の安定性のうちのいずれか１つから選択される、請求項９に記載の方法。
【請求項１６】
前記要素の前記変動の前記異なる範囲の相対的な割合を示す統計も含むように前記別のユーザインターフェース画面を生成することを更に含む、請求項１５に記載の方法。
【請求項１７】
プログラム命令が格納された非一時的なコンピュータ可読媒体を含む、不整脈を自動的に識別及び表示するためのソフトウェア製品であって、前記命令が、中央処理装置（ＣＰＵ）によって読み取られると、前記ＣＰＵに、
被験者の心臓の電気的活動に応答して、前記被験者の身体に貼付された複数の電極により出力された信号を受信させ、
前記心臓の様々な不整脈タイプに対応する一連のテンプレートを格納させ
前記テンプレートを前記信号に適用して、前記信号の１つ以上の異なる時間セクションを前記不整脈タイプのそれぞれ１つに関連付けさせ、
前記信号の少なくとも一部及び、前記信号の少なくとも前記一部の前記異なる時間セクションを、これらが関連付けられている前記不整脈タイプの前記それぞれ１つとして識別するグラフィカルな識別情報を含むユーザインターフェース画面をディスプレイにレンダリングさせる、
ソフトウェア製品。
【発明の詳細な説明】
【技術分野】
【０００１】
（関連出願の相互参照）
本願は２０１８年１２月１１日に出願された米国特許仮出願第６２／７７８０２２号の利益を主張するものである。
【０００２】
（発明の分野）
本発明は、全般的には、信号解析に関し、具体的には、医療処置中に生成される信号の解析に関する。
【背景技術】
【０００３】
心電図検査（electrocardiograph、ＥＣＧ）プロセスは、生体の皮膚に貼付された電極を使用して、一定期間にわたる心臓の電気的活動を記録する。電極が、心臓の各心拍中の脱分極と再分極の電気生理学的パターンから生じる皮膚上の電荷を検出する。
【０００４】
心臓不整脈などの心臓の問題を検出し、矯正処置（例えば、限定するものではないが、アブレーション療法）後の心臓の状態の改善を監視するために、心電図検査を実施することができる。
【０００５】
標準的な心電計には、被験者の手足や胸部を含む生体の皮膚に貼付される１０個の電極への接続部が含まれ得る。次に、これら１０個の電極を使用して心臓の電位が測定され、一定期間にわたって記録される。これによって、心臓の電気的脱分極の全体の大きさ及び方向が、心周期にわたる各瞬間に捕捉される。電圧対時間のグラフを作成して、心電図を得ることが可能である。
【０００６】
心臓アブレーションなどの医療処置中には、通常、操作者（例えば、医師）は、処置を実施しながら、同時に複数のリアルタイムデータの流れを監視する。例えば、操作者は、心内組織にアブレーションを施すために心臓内カテーテルを使用しながら、ＥＣＧデータなどのリアルタイムの電気生理学的（ＥＰ）データ並びにカテーテルの遠位先端の位置及び心臓組織へ送達されているアブレーションエネルギーなどの補助データを追跡し続けたい場合がある。
【０００７】
Ｒｕｂｉｎｓｔｅｉｎの米国特許第８，７００，１３６号は、時変心内電位信号を検出することと、既定の振動波形に対する時変心内電位信号の適合を見出すこととを含む、信号を解析する方法を説明する。方法は、適合に応答する信号の注釈時間を推定することを更に含む。
【０００８】
Ｃｏｎｌｅｙらの米国特許出願公開第２０１１／０２３８１２７号は、埋め込み型医療機器からのデータに基づいて視覚表示を提示するシステム、機器、構造、及び方法を説明している。表示は、所定の期間にわたって検出された不整脈タイプの頻度を示すチャートを含む。
【０００９】
Ｅｔｔｏｒｉらの米国特許出願公開第２０１０／０２８０４００号は、被験者の体内の心イベントに関連する発作性の拍動を検出するために使用される心調律管理システムについて説明している。これらのイベントを監視し、不整脈発作における不整脈性の心拍の候補の脱分極形態情報を導出することができる。不整脈性心拍形態テンプレートを、１つ以上の候補発作の特定の形態に従って、ユーザのラベリングに基づいて候補不整脈性心拍の少なくとも１つを選択することにより形成することが可能である。
【００１０】
Ｌｉの米国特許出願公開第２００９／０００５８２６号は、不整脈波形及びテンプレート波形の形態学的分析に基づいて頻脈性不整脈を分類する頻脈性不整脈検出及び分類システムを含む植込み型除細動器（implantable cardioverter/defibrillator、ＩＣＤ）について説明している。不整脈波形の形態的特徴とテンプレート波形の形態的特徴との間でそれぞれ計算された相関係数は、頻脈性不整脈を分類するための基礎となる。一実施形態では、相関分析は、信頼区間を含むテンプレート帯域を使用することにより、テンプレート波形の生成に伴う不確実性を考慮する。
【００１１】
Ａｎｄｅｒｓｏｎらの米国特許第４，３３６，８１０号は、連続したＥＣＧ複合体又は心拍のアナログ信号出力を有するテープ再生ユニット、各複合体を表すデータコンポジットを生成するためのコンバータ、複数の複合体を正常、上室異所性（ＳＶＥ）、心室異所性（ＶＥ）、又は未知として分類するオペレータ分類に対応するデータテンプレートを作成してビンに格納し、連続した複合体を格納されたテンプレート及び条件と比較して一致条件を判定し、対応するイベントをイベントカウンタ及びディスプレイに通知するためのコンピュータを含むホルター型ＥＣＧ記録の不整脈分析のための方法及び装置を説明している。学習モードでは、コンピュータが信号を送信してテープ再生を停止させ、オペレータ分類と一致しない複合体と、次に生成可能な新たなテンプレートとを表示させた後、スキャンが再開される。
【００１２】
Ｍｌｙｎａｓｈらの米国特許出願公開第２００１／００５６２４５号は、特定の不整脈における先行する心拍の重畳された心室活動から、対象の心房活動の複雑な空間的及び時間的な形態学的詳細を個別的に分離することを可能にする、心不整脈のための非侵襲的局在化、特徴付け及び分類装置及び方法を説明している。ＱＲＳＴテンプレートと不整脈信号との間の電圧及びレートの不一致に応じて調整される適応型ＱＲＳＴ減算テンプレートが使用される。ＱＲＳＴテンプレートの調整は、ＱＲＳＴテンプレートと不整脈信号との双方で注釈が付けられている１つ以上の基準点及びウィンドウを使用して行われる。
【発明の概要】
【課題を解決するための手段】
【００１３】
本発明の一実施形態によれば、被験者の身体に貼付されるように構成され、被験者の心臓の電気的活動に応答して信号を出力するように構成された複数の電極と、ディスプレイと、プロセッサであって、心臓の様々なタイプの不整脈に対応する一連のテンプレートを格納することと、信号にこれらのテンプレートを適用して、信号の１つ以上の異なる時間セクションを不整脈タイプのそれぞれ１つに関連付けることと、信号の少なくとも一部及び、信号の少なくとも一部の異なる時間セクションを、これらが関連付けられている不整脈タイプのそれぞれ１つとして識別するグラフィカルな識別情報を含むユーザインターフェース画面をディスプレイにレンダリングすることと、を行うように構成されている、プロセッサと、を備える医療システムが提供される。
【００１４】
更に、本発明の一実施形態によれば、グラフィカルな識別情報が、不整脈タイプの異なる１つに対して異なる色を使用する色分けされた識別情報である。
【００１５】
更に、本発明の一実施形態によれば、グラフィカルな識別情報が、信号の少なくとも一部の下又は上のボックス内に配置される。
【００１６】
更に、本発明の一実施形態によれば、プロセッサが、信号に関連付けられた不整脈タイプの相対的な割合を計算することと、信号の少なくとも一部、グラフィカルな識別情報、及び信号に関連付けられた不整脈タイプの相対的な割合を示す統計を含むユーザインターフェース画面をディスプレイにレンダリングすることと、を行うように構成されている。
【００１７】
更に、本発明の一実施形態によれば、統計が、複数の凡例キーを有する色分けされた凡例内に配置され、各凡例キーが、色分けされた識別情報の１つに対応する不整脈タイプの１つをテキスト形式で記述する。
【００１８】
更に、本発明の一実施形態によれば、プロセッサが、信号に関連付けられた不整脈タイプの相対的な割合を計算することと、信号の少なくとも一部、グラフィカルな識別情報、及び信号に関連付けられた不整脈タイプの相対的な割合を示す統計を含むユーザインターフェース画面をディスプレイにレンダリングすることと、を行うように構成されている。
【００１９】
更に、本発明の一実施形態によれば、プロセッサが、心臓の分析に使用される要素の変動を説明する別の信号の少なくとも一部と、要素の変動の異なる範囲を有する別の信号の少なくとも一部の異なる複数のセクションを識別するグラフィカルな識別情報と、を含む別のユーザインターフェース画面をディスプレイにレンダリングするように構成されており、要素が、プローブによって加えられる力、プローブへの組織の近接度、プローブの速度、サイクル長、プローブの位置の安定性、及び局所興奮到達時間（local activation time、ＬＡＴ）の安定性のうちのいずれか１つから選択される。
【００２０】
更に、本発明の一実施形態によれば、プロセッサが、要素の変動の異なる範囲の相対的な割合を示す統計も含むように別のユーザインターフェース画面を生成するように構成されている。
【００２１】
本発明の更に別の一実施形態によれば、被験者の心臓の電気的活動に応答して被験者の身体に貼付された電極により出力された信号を受信することと、心臓の様々な不整脈タイプに対応する一連のテンプレートを格納することと、テンプレートを信号に適用して、信号の１つ以上の異なる時間セクションを不整脈タイプのそれぞれ１つに関連付けることと、信号の少なくとも一部、及び信号の少なくとも一部の異なる時間セクションを、これらが関連付けられている不整脈タイプのそれぞれ１つとして識別するグラフィカルな識別情報を含むユーザインターフェース画面をディスプレイにレンダリングすることと、を含む医療方法が提供される。
【００２２】
更に、本発明の一実施形態によれば、グラフィカルな識別情報が、不整脈タイプの異なる１つに対して異なる色を使用する色分けされた識別情報である。
【００２３】
更に、本発明の実施形態によれば、グラフィカルな識別情報が、信号の少なくとも一部の下又は上のボックス内に配置される。
【００２４】
更に、本発明の一実施形態によれば、本方法は、信号に関連付けられた不整脈タイプの相対的な割合を計算することを含み、レンダリングが、信号の少なくとも一部、グラフィカルな識別情報、及び信号に関連付けられた不整脈タイプの相対的な割合を示す統計を含むユーザインターフェース画面をディスプレイにレンダリングすることを含む。
【００２５】
更に、本発明の一実施形態によれば、統計が、複数の凡例キーを有する色分けされた凡例内に配置され、各凡例キーは、色分けされた識別情報の１つに対応する不整脈タイプの１つをテキスト形式で記述する。
【００２６】
更に、本発明の一実施形態によれば、本方法は、信号に関連付けられた不整脈タイプの相対的な割合を計算することを含み、レンダリングが、信号の少なくとも一部、グラフィカルな識別情報、及び信号に関連付けられた不整脈タイプの相対的な割合を示す統計を含むユーザインターフェース画面をディスプレイにレンダリングすることを含む。
【００２７】
更に、本発明の一実施形態によれば、本方法は、心臓の分析に使用される要素の変動を説明する別の信号の少なくとも一部と、要素の変動の異なる範囲を有する別の信号の少なくとも一部の異なる複数のセクションを識別するグラフィカルな識別情報と、を含む別のユーザインターフェース画面をディスプレイにレンダリングすることを含み、要素は、プローブによって加えられる力、プローブへの組織の近接度、プローブの速度、サイクル長、プローブの位置の安定性、及び局所興奮到達時間（ＬＡＴ）の安定性のうちのいずれか１つから選択される。
【００２８】
更に、本発明の一実施形態によれば、本方法は、要素の変動の異なる範囲の相対的な割合を示す統計も含むように別のユーザインターフェース画面を生成することを含む。
【００２９】
本発明の更に別の一実施形態によれば、中央処理装置（ＣＰＵ）によって読み取られると、ＣＰＵに、被験者の心臓の電気的活動に応答して被験者の身体に貼付された電極により出力された信号を受信させ、心臓の様々な不整脈タイプに対応する一連のテンプレートを格納させ、テンプレートを信号に適用して、信号の１つ以上の異なる時間セクションを不整脈タイプのそれぞれ１つに関連付けさせ、信号の少なくとも一部及び、信号の少なくとも一部の異なる時間セクションを、これらが関連付けられている不整脈タイプのそれぞれ１つとして識別するグラフィカルな識別情報を含むユーザインターフェース画面をディスプレイにレンダリングさせるプログラム命令が格納された非一時的なコンピュータ可読媒体を含む、ソフトウェア製品が提供される。
【図面の簡単な説明】
【００３０】
本発明の上述及び他の特徴と利点は、添付図面に例証されるような、本発明の好ましい実施形態の以下のより具体的な記載から明白となるであろう。
【図１】本発明の例示的な一実施形態に基づく装置を用いた侵襲性医療処置の概略図である。
【図２】本発明の例示的な一実施形態に基づく図１の装置で用いられるプローブの遠位端部の概略図である。
【図３】図１の装置によってレンダリングされた例示的なユーザインターフェース画面を図示したものである。
【図４】図１の装置の動作方法における例示的なステップを含むフローチャートを図示したものである。
【発明を実施するための形態】
【００３１】
概説
様々なタイプの不整脈のＥＣＧ信号（体表面又は心臓内）を分析する際に、医師が信号のグラフを視覚的に検査し、検査から不整脈のタイプ及び発生した時期を判断する場合がある。この種の目視検査は時間がかかり、誤りも発生しやすい。存在する様々な不整脈に応じて標的化することの可能なアブレーション療法などの心臓処置中においては、不整脈の正確な識別は特に重要である。
【００３２】
一部のシステムでは、処置中に生成される、例えばアブレーション及びＥＣＧデータなどのデータが大量であることから、医師は、医師が最も重要と考えるものに従ってデータをフィルタリングするための様々なフィルタを設定する場合がある。例えば、ＥＣＧデータが多くの様々な不整脈を示している可能性があるにもかかわらず、医師は、パターンマッチングに基づいて様々な不整脈タイプのうちの１つ以上を検出するフィルタを設定することがあり得る。処置が継続している間に、例えば、矯正処置の実施によって心拍が変化する可能性があるため、医師が処置中にフィルタを変更する場合がある。パターンマッチングを使用するとエラーが減少するが、どのフィルタが適切であるのかを経験に基づいて推測する必要があるため、依然として時間がかかり、誤りも発生しやすい。
【００３３】
本発明の例示的な一実施形態では、装置が、それぞれの不整脈タイプとして自動的に識別されるＥＣＧ信号の異なる時間セクションを示すユーザインターフェース画面をディスプレイにレンダリングする。異なる色付け及び／又はパターン化がなされた識別情報並びに／あるいは文字及び／又は数字を含む任意の適切なフォーマットを使用して、異なる時間セクションをそれぞれの不整脈タイプとして識別することが可能である。
【００３４】
ＥＣＧ信号で様々な不整脈を自動的に識別することにより、手動検査に伴う誤り及びこれに費やす時間を削減することができる。更に、ＥＣＧ信号には様々な不整脈タイプが含まれるため、医師は、ユーザインターフェース画面に表示される捕捉されたＥＣＧ信号に含まれるすべての不整脈を同時に見ることが可能である。これは、治療を要する可能性のある様々な不整脈によって処置の流れが左右され得る心臓処置中において特に有利である。
【００３５】
ユーザインターフェース画面が、信号に関連付けられた不整脈タイプの相対的な割合を示す統計を更に含んでもよい。これにより、医師は、ＥＣＧデータで識別された最も顕著な不整脈に応じて、心臓処置の優先順位を簡単に設定することが可能となる。
【００３６】
信号及びその識別情報をスクロール（左右）して、信号の異なる時間セクションを表示してもよい。
【００３７】
ユーザインターフェース画面に含まれるデータが、処置が進行するにつれて更新されて、ＥＣＧデータの残りの不整脈タイプの相対的な割合を示すことにより、処置が現在のところ成功していること及び、任意の残りの不整脈の重要性を医師に示してもよい。
【００３８】
加えて又は代わりに、装置が過去の任意の期間のＥＣＧ履歴データをフィルタリングして、ＥＣＧ信号（又はその一部）、ＥＣＧ信号がどのようにしてそれぞれの不整脈タイプとして識別されるのか、及び任意選択的に、選択された過去の期間の信号に関連付けられた不整脈タイプの相対的な割合を示す統計をユーザインターフェース画面が含むようにしてもよい。
【００３９】
いくつかの例示的な実施形態では、装置は、ヒト患者の心臓の電気的活動に応答して、ヒト患者の身体に貼付された電極（体表面電極及び／又はカテーテル電極）により出力された信号を受信する。心臓の様々な不整脈タイプに対応する一連のテンプレートが装置に格納される。装置は、ＥＣＧ信号にテンプレートを適用し、例えば、画像比較技術又は任意の適切な信号比較技術を使用してテンプレートを信号と比較することにより、信号の１つ以上の異なる時間セクションをそれぞれの不整脈タイプに関連付ける。
【００４０】
装置は、信号に関連付けられた不整脈タイプの相対的な割合（例えばパーセンテージ、分数、又は比など）を計算する。ある不整脈の相対的な割合は、検討中のＥＣＧデータが取得された合計時間のうちで、その不整脈が発生した合計時間として計算されてもよい。検討中のＥＣＧデータが、ユーザインターフェース画面に現在表示されている信号又はその他の構成可能な時間ウィンドウに限定されてもよい。
【００４１】
装置は、ＥＣＧ信号の少なくとも一部、信号の様々な部分のタイミングを詳述するタイムスケール、信号の少なくとも一部の異なる時間セクションを、これらが関連付けられているそれぞれの不整脈タイプとして識別するグラフィカルな識別情報、及び信号に関連付けられている不整脈タイプの相対的な割合を示す統計を含むユーザインターフェース画面をレンダリングする。
【００４２】
例示的な一実施形態では、グラフィカルな識別情報は、異なる不整脈タイプに対して異なる色を使用する色分けされた識別情報であってもよい。グラフィカルな識別情報を、表示された信号の下又は上にある情報ストリップ内のボックス内に配置してもよい。統計を、不整脈タイプごとに凡例キーを有する色分けされた凡例内に配置してもよい。ある不整脈タイプの相対的な割合の統計を、その不整脈タイプの凡例キー内に、又はユーザインターフェース画面内の任意のその他の適切な位置に配置してもよい。
【００４３】
いくつかの例示的な実施形態では、装置は、心臓の解析に使用される要素の変動を記述する別の信号の少なくとも一部を含む別のユーザインターフェース画面をレンダリングしてもよい。このユーザインターフェース画面には、要素の変動の異なる範囲を有する別の信号の少なくとも一部の異なる複数のセクションを識別するグラフィカルな識別情報、及び要素の変動の異なる範囲の相対的な割合を示す統計も含まれる。要素は、ほんの一例として、プローブによって加えられる力、プローブへの組織の近接度、プローブの速度、サイクル長、プローブの位置安定性、及び局所興奮到達時間（ＬＡＴ）の安定性のうちのいずれか１つから選択されてもよい。
【００４４】
例えば、信号は、プローブによって加えられる力が経時的にどのように変化するかを示してもよい。グラフィカルな識別情報は、例えば、０〜１グラム、１〜２グラムなどの異なる複数の力範囲を識別してもよい。統計は、例えば、０〜１グラムで２０％、１〜２グラムで３０％などの力範囲のパーセンテージを示してもよい。
【００４５】
システムの説明
参照により本明細書に援用される文書は本出願の一体部分と見なされるべきであり、いずれかの用語が、それらの援用された文書内で、本明細書で明示的又は暗示的に行われる定義と相反するように定義される場合を除き、本明細書における定義のみが考慮されるべきである。
【００４６】
ここで図１を参照すると、図１は、本発明の例示的な一実施形態に基づく装置１２を使用した侵襲的医療処置の概略図である。本発明の例示的な一実施形態に基づく装置１２で使用されるプローブ２０の遠位端部２２の概略図である図２も参照する。この処置は、医師１４によって実施され、これ以降の説明において、この処置は、ヒト患者１８の心臓の心筋１６の組織１５の一部のアブレーションを含むものとする。
【００４７】
検査を実施するために、医師１４は、プローブ２０が心腔内に挿入されるように、患者１８の内腔内に事前に配置されたシース２１内にプローブ２０を挿入する。シース２１は、プローブ２０の遠位端部２２が患者１８の心臓に入るように配置されている。遠位端部２２は、遠位端部２２の位置及び向きを追跡することを可能にする位置センサ２４、遠位端部２２が心筋１６に接触した時に遠位端部２２によって印加される力を測定する力センサ２６、及び遠位端部２２のそれぞれの位置の温度を測定する１つ以上の温度センサ２８を備える。遠位端部２２は、心腔内の心筋１６に高周波電力を印加して心筋１６をアブレーションするために使用される１つ以上の電極３０も備える。電極３０を、以下に記載するように、心筋１６から電位を取得するために使用してもよい。
【００４８】
装置１２は、装置の操作コンソール４８内に位置するシステムプロセッサ４６により制御される。操作コンソール４８は、プロセッサ４６と通信するために医師１４によって使用される少なくとも１つのユーザ入力装置４９の制御部を含む。プロセッサ４６用のソフトウェアは、例えば、ネットワークを介して電子形態でプロセッサ４６にダウンロードすることができる。代替的に又は更に、ソフトウェアは、光学的、磁気的、又は電子的記憶媒体などの非一時的有形媒体上で提供され得る。
【００４９】
プロセッサ４６は、通常、フィールドプログラマブルゲートアレイ（field programmable gate array、ＦＰＧＡ）、次いでアナログ−デジタル（an analog-to-digital、Ａ／Ｄ）信号変換集積回路４７として構成されている、リアルタイムノイズ低減回路４５を備えてもよい。プロセッサ４６は、信号をＡ／Ｄ信号変換集積回路４７から別のプロセッサに伝えることができ、及び／又は、本明細書において開示されている少なくとも１つのアルゴリズムを実行するようにプログラムされることができ、このアルゴリズムは、本明細書において以下に記載されているステップを含む。プロセッサ４６は、アルゴリズムを実行するために、ノイズ低減回路４５及びＡ／Ｄ信号変換集積回路４７、並びに以下でより詳細に記載されているモジュールの機能を使用する。
【００５０】
装置１２を操作するために、プロセッサ４６によって実行されるアルゴリズムは、装置１２を操作するためのプロセッサ４６により使用される複数のモジュールを有するモジュールバンク５０と通信する。従って、モジュールバンク５０は、ＥＣＧ信号をプロセッサ４６に提供するために、体表面電極３１及び／又は電極３０から信号を受信するように結合された心電計（electrocardiograph、ＥＣＧ）モジュール５６を備える。体表面電極３１及び／又は電極３０は、被験者（例えば、患者１８）の身体に貼付されるように構成されており、かつ、被験者の心臓の電気的活動に応答して信号を出力するように構成されている。電極３０は、プローブ２０を介して身体の心臓に貼付される。モジュールバンク５０は、位置センサ２４からの信号を受信して分析し、信号分析を使用して遠位端部２２の位置及び向きを生成する追跡モジュール５８を更に備える。いくつかの例示的な実施形態では、位置センサ２４は、コイルを横切る磁界に応答してセンサの信号を提供する１つ以上のコイルを備える。これらの例示的な実施形態では、追跡モジュール５８は、センサ２４からの信号を受信及び解析することに加えて、位置センサ２４を横切る磁界を放射する放射器３２、３４及び３６も制御する。放射器３２、３４、３６は心筋１６に近接して配置されており、心筋１６に近接する領域内に交番磁界を放射するように構成されている。複数のワイヤ接続部３５が、操作コンソール４８を体表面電極３１及びその他の（放射器３２、３４、３６及びセンサ２４などの）部品と接続して、追跡モジュール５８がプローブ２０の位置及び方向座標を測定できるようにする。いくつかの例示的な実施形態では、追跡モジュール５８は、心臓に対するプローブ２０の相対的な位置及び相対的な向きを計算するように構成されている。位置及び向きの磁気追跡は、参照により本明細書に組み込まれている米国特許第７，７５６，５７６号及び同第７，５３６，２１８号に記載されている。Ｂｉｏｓｅｎｓｅ  Ｗｅｂｓｔｅｒ（３３  Ｔｅｃｈｎｏｌｏｇｙ  Ｄｒｉｖｅ，Ｉｒｖｉｎｅ，ＣＡ９２６１８，ＵＳＡ）によって製造されているＣａｒｔｏ（登録商標）システムは、このような磁気追跡システムを使用する。追跡モジュール５８は、磁気ベースの位置及び方向追跡の使用に限定されない。インピーダンスベース又は画像ベースの追跡などの任意の適切な位置及び方向の追跡を使用することが可能である。
【００５１】
装置１２は、ＭＲＩユニット、ＣＴユニットなどのような外部の画像診断モダリティからの画像データを受信することができ、画像を生成及び表示するためにプロセッサ４６に組み込まれるか又はプロセッサ４６によって呼び出されることができる画像プロセッサを含む。画像データを追跡モジュール５８に登録し、受信データとプローブ２０の位置とを組み合わせた画像５９をディスプレイ６１上で医師１４に表示してもよい。例えば、プローブ２０の遠位端部２２の軌跡を、ディスプレイ６１に表示される患者１８の心臓の三次元表現上に示してもよい。図３を参照しながらより詳細に説明するユーザインターフェース画面２００を、ディスプレイ６１に更に表示してもよい。
【００５２】
参照により本明細書に援用される、Ｇｏｖａｒｉらに付与された米国特許第７，５３６，２１８号において教示されているように、電極３０及び体表面電極３１を使用して、アブレーション部位における組織インピーダンスを測定してもよい。
【００５３】
モジュールバンク５０はまた、力モジュール６０、電源モジュール６２、灌注モジュール６４、及び温度モジュール６６を備える。これらモジュールの機能を、以下に説明する。モジュールバンク５０内のモジュール、及びプロセッサ４６は、本明細書では処理回路５１と呼ばれる。
【００５４】
力モジュール６０は、力センサ２６からの信号を受信し、これらの信号から、遠位端部２２が組織１５に及ぼす、本明細書ではグラム単位で測定されることが想定されている大きさの接触力を生じさせる。いくつかの例示的な実施形態では、力センサ２６は、力センサ２６が力モジュール６０に提供する信号によって、遠位端部２２が組織１５に及ぼす力の方向を力モジュール６０が評価することを可能にするように構成されている。
【００５５】
電源モジュール６２は、心筋１６の組織１５をアブレーションするために電極３０によって印加される高周波電力を生成する高周波（ＲＦ）信号発生器６３を備える。プロセッサ４６及び電源モジュール６２は、電極３０によって送り込まれる、本明細書ではワット単位で測定されることが想定されている電力レベル及び、この電力が送り込まれている間の、秒単位で測定される時間の長さを調節することが可能である。
【００５６】
灌注モジュール６４は、ここではｍＬ／分単位で測定されることが想定されている、操作コンソール４８内に配置されたポンプ６５によって遠位端部２２に供給される、典型的には通常の生理食塩水である灌注流体の流量を制御する。プローブ２０には、心筋１６を灌注するための灌注チャネルが含まれる。灌注流体は、遠位端部２２にある灌注孔８０から放出される。ポンプ６５は、アブレーション処置の状態に応じて、アイドル速度及び（アイドル速度よりも高い）１つ以上の非アイドル速度で灌注流体を灌注チャネルに選択的に送り込むように構成されている。
【００５７】
温度モジュール６６は、温度センサ２８（又は各温度センサ２８）によって供給される温度信号を受信する。温度信号は、複数の異なる時点での心筋の温度を示す。温度モジュール６６は、各センサ２８によって示された温度を判定する。典型的には、複数のセンサ２８の場合、温度モジュール６６は遠位端部２２の平均温度を判定する。更に、複数のセンサの場合、温度モジュール６６が、遠位端部２２の温度分布のマップを作成してもよい。
【００５８】
いくつかの例示的な実施形態では、心電計（ＥＣＧ）モジュール５６は、プローブ２０及び上述の様々なアブレーション機能なしで装置１２とは独立に実装されてもよい。これらの例示的な実施形態において、心電計（ＥＣＧ）モジュール５６は、ユーザインターフェース画面２００を表示するための表示画面を備えた独立型のＥＣＧシステム内に、又は任意のその他の適切なシステムの一部として実装されてもよい。
【００５９】
ここで、図１の装置１２によってレンダリングされた例示的なユーザインターフェース画面２００を示す図３を参照する。また、図１を参照する。ヒト患者１８の身体に貼付された体表面電極３１及び／又は電極３０（複数可）は、ヒト患者１８の心臓の電気的活動に応答して信号２０２を出力する。信号２０２は、ノイズを除去するためにプロセッサ４６によって処理されてもよい。信号２０２における様々な不整脈タイプの識別を含む信号２０２のその他の処理は、図４を参照してより詳細に説明される。
【００６０】
プロセッサ４６は、ユーザインターフェース画面２００をディスプレイ６１にレンダリングするように構成されており、その例が図３に示されている。ユーザインターフェース画面２００は、次のうちの１つ以上を含んでもよい：
−信号２０２の少なくとも一部、
−信号２０２の様々な部分のタイミングを詳述するタイムスケール２０４、
−信号２０２の少なくとも一部の異なる時間セクションを、これら（セクション）が関連付けられているそれぞれの不整脈タイプとして識別するグラフィカルな識別情報２０８、
−信号２０２に関連付けられている不整脈タイプの相対的な割合を示す統計、及び
−色分けされた凡例２１０。
【００６１】
信号２０２の異なる時間セクションが異なる複数の時点でユーザインターフェース画面２００に表示され得るように、信号２０２をユーザインターフェース画面２００内で（左右に）スクロールしてもよい。信号２０２がスクロールされると、タイムスケール２０４も、表示されている信号２０２に関連付けられたタイミングに対応するようにスクロールする。グラフィカルな識別情報も、ユーザインターフェース画面２００に現在表示されている信号２０２に含まれる不整脈タイプを反映するように修正される。
【００６２】
いくつかの例示的な実施形態では、グラフィカルな識別情報２０８は、異なる不整脈タイプに対して異なる色を使用する色分けされた識別情報である。グラフィカルな識別情報２０８は、信号２０２の少なくとも一部の下又は上の情報ストリップ２０６内のボックス内に配置される。色分けされた凡例２１０は複数の凡例キー２１２を含み、各キー２１２はその対応する不整脈タイプをテキスト形式で記述し、対応する色分けされた識別情報のうちでその不整脈タイプを示す色に従って色付けされる。各不整脈の統計は、その不整脈タイプの凡例キー２１２内に配置されてもよい。あるいは、統計は、ユーザインターフェース画面２００上の任意の適切な位置に配置されてもよい。統計は、ほんの一例として、パーセンテージ、分数又は比などの形式であってもよい。ある不整脈の相対的な割合は、検討中のＥＣＧデータが取得された合計時間のうちで、その不整脈が発生した合計時間として計算されてもよい。相対的な割合の計算に使用される合計時間は、ユーザインターフェース画面２００上に現在表示されているＥＣＧ信号の合計時間であってもよく、又は、ユーザインターフェース画面２００上に現在表示されている時間よりも長い、例えばＥＣＧデータを利用可能な時間又は医師１４が設定した別の時間の間に取得されたＥＣＧ信号の合計時間であってもよい。
【００６３】
図３の例では、ＰＶＣ−Ａ不整脈は、情報ストリップ２０６内ではグラフィカルな識別情報２０８−１を使用し、色分けされた凡例２１０内では凡例キー２１２−１を使用して識別され、その相対的な割合である６％が凡例キー２１２−１内に示されている。洞性不整脈は、情報ストリップ２０６内ではグラフィカルな識別情報２０８−２を使用し、色分けされた凡例２１０内では凡例キー２１２−２を使用して識別され、その相対的な割合である８８％が凡例キー２１２−２内に示されている。ＰＶＣ−Ｂ不整脈は、情報ストリップ２０６内ではグラフィカルな識別情報２０８−４を使用し、色分けされた凡例２１０内では凡例キー２１２−４を使用して識別され、その相対的な割合である２％が凡例キー２１２−４内に示されている。その他の不整脈タイプは、グループ化され、情報ストリップ２０６内ではグラフィカルな識別情報２０８−３を使用し、色分けされた凡例２１０内では凡例キー２１２−３を使用して識別され、その相対的な割合である４％が凡例キー２１２−３内に示されている。
【００６４】
いくつかの例示的な実施形態では、グラフィカルな識別情報２０８の色分けを、異なるパターン化がなされた識別情報並びに／あるいは、異なる複数の不整脈を区別するための（例えば、ＰＶＣ  Ａ、ＰＶＣ  Ｂなどの）文字及び／又は数字を含む任意の適切な形式で置き換えるか、又は補足してもよい。同様に、色分けされた凡例２１０を適切に修正して、グラフィカルな識別情報２０８に適切な凡例を提供してもよい。
【００６５】
加えて又は代わりに、信号２０２の線を、これらの不整脈タイプを有する信号２０２の異なる時間セクションを識別するために、色付け又はフォーマットしてもよい。
【００６６】
ここで図４を参照すると、図４は、図１の装置１２の動作方法における例示的なステップを含むフローチャート３００の図である。
【００６７】
ブロック３０２〜３１０によって表されるステップを、任意の適切な順序で実行してもよい。更に、一部のステップを同時に実行してもよい。
【００６８】
プロセッサ４６は、ヒト患者１８の身体に貼付された体表面電極３１及び／又は電極３０により、ヒト患者１８の心臓の電気的活動に応答して出力された信号２０２（図３）を受信する（ブロック３０２）ように構成されている。プロセッサ４６は、様々な心臓不整脈タイプに対応する一連のテンプレートのセットを格納する（ブロック３０４）ように構成されている。
【００６９】
プロセッサ４６は、複数のテンプレートを信号２０２に適用して、信号２０２の１つ以上の異なる時間セクションを不整脈タイプのそれぞれ１つに関連付ける（ブロック３０６）ように構成されている。このステップは、例えば、画像比較技術又は任意の適切な信号比較技術を使用して、テンプレートを信号２０２と比較することを含んでもよい。
【００７０】
プロセッサ４６は、信号２０２に関連付けられた不整脈タイプの相対的な割合を、ほんの一例として、パーセンテージ、分数又は比として計算する（ブロック３０８）ように構成されてもよい。ある不整脈タイプの相対的な割合は、検討中のＥＣＧデータが取得された合計時間のうちで、その不整脈タイプが発生した合計時間として計算されてもよい。相対的な割合の計算に使用される合計時間は、ユーザインターフェース画面２００上に現在表示されているＥＣＧ信号２０２の合計時間であってもよく、又は、ユーザインターフェース画面２００上に現在表示されている時間よりも長い、例えばＥＣＧデータを利用可能な時間又は医師１４が設定した別の時間の間に取得されたＥＣＧ信号の合計時間であってもよい。
【００７１】
プロセッサ４６は、ユーザインターフェース画面２００をディスプレイ６１にレンダリングする（ブロック３１０）ように構成されている。ユーザインターフェース画面２００は、次のうちの１つ以上を含んでもよい：
−信号２０２の少なくとも一部、
−信号２０２の様々な部分のタイミングを詳述するタイムスケール２０４、
−信号２０２の少なくとも一部の異なる時間セクションを、これらのセクションが関連付けられているそれぞれの不整脈タイプとして識別するグラフィカルな識別情報２０８、
−信号２０２に関連付けられている不整脈タイプの相対的な割合を示す統計、及び
−（色分けされた）凡例２１０。
【００７２】
いくつかの例示的な実施形態によれば、プロセッサ４６は、プローブ２０によって加えられる力、プローブ２０への組織の近接度、プローブ２０の速度、サイクル長、プローブ２０の位置安定性、及び局所興奮到達時間（ＬＡＴ）安定性のいずれか１つから選択され得る１つ以上のその他の要素のデータを提供するように構成されている。プロセッサ４６は、以下により詳細に説明するように、選択された要素の統計を計算するように構成されている。プロセッサ４６は、ユーザインターフェース画面２００と実質的に同じであるが、選択された要素に関連する修正を伴う別のユーザインターフェース画面をディスプレイ６１にレンダリングするように構成されている。この別のユーザインターフェース画面に、以下が含まれてもよい：
−心臓の分析に使用される選択された要素の変動を説明する別の信号の少なくとも一部、
−選択された要素の別の信号の様々な部分のタイミングを詳述するタイムスケール、
−選択された要素の変動の異なる範囲を有する選択された要素の別の信号の少なくとも一部の異なる複数のセクションを識別するグラフィカルな識別情報、
−選択された要素の変動の異なる範囲の相対的な割合を示す統計、及び
−（色分けされた）凡例。
【００７３】
例えば、選択された要素が力である場合、信号はプローブ２０によって加えられる力対時間の表現であり、要素の異なる範囲は、０〜１グラム、１〜２グラムなどであり得る。この例では、統計は０〜１グラムで３０％、１〜２グラムで２０％などであり得る。
【００７４】
例えば、選択された要素がプローブ２０への組織の近接度である場合、信号は組織の近接度対時間の表現であり、要素の異なる範囲は、０〜１ｍｍ、１〜２ｍｍなどであり得る。この例では、統計は０〜１ｍｍで１０％、１〜２ｍｍで２０％などであり得る。
【００７５】
例えば、選択された要素がプローブ２０の速度である場合、信号は速度対時間の表現であり、要素の異なる範囲は、０〜０．０１メートル毎秒（ｍ／ｓ）、０．０１〜０．０２ｍ／ｓなどであり得る。この例では、統計は０〜０．０１ｍ／ｓで１０％、０．０１〜０．０２ｍ／ｓで１５％などであり得る。
【００７６】
例えば、選択された要素がサイクル長である場合、信号はサイクル長対時間の表現であり、要素の異なる範囲は、０〜５０ミリ秒（ｍｓ）、５０〜１００ｍｓなどであり得る。この例では、統計は０〜５０ｍｓで５０％、５０〜１００ｍｓで１０％などであり得る。
【００７７】
例えば、選択された要素がプローブ２０の位置安定性である場合、信号は位置安定性対時間の表現であり、要素の異なる範囲は、０〜１ｍｍ、１〜２ｍｍなどであり得る。この例では、統計は０〜１ｍｍで１０％、１〜２ｍｍで２０％などであり得る。
【００７８】
例えば、選択された要素が局所興奮到達時間（ＬＡＴ）安定性である場合、信号はＬＡＴ安定性対時間の表現であり、要素の異なる範囲は、０〜１０ｍｓ、１０〜２０ｍｓなどであり得る。この例では、統計は０〜１０ｍｓで２３％、１〜２ｍｓで４５％などであり得る。
【００７９】
別のユーザインターフェース画面がレンダリングされるいくつかの例示的な実施形態では、グラフィカルな識別情報は、選択された要素の異なる範囲に対して異なる色を使用する色分けされた識別情報である。グラフィカルな識別情報を、信号の少なくとも一部の下又は上の情報ストリップ内のボックス内に配置してもよい。色分けされた凡例は複数の凡例キーを含んでもよく、各キーはその対応する要素範囲をテキスト形式で記述し、対応する色分けされた識別情報のうちでその要素範囲を示す色に従って色付けされる。各要素範囲の統計を、その要素範囲の凡例キー内に、又は別のユーザインターフェース画面の任意のその他の適切な位置に配置してもよい。統計は、ほんの一例として、パーセンテージ、分数又は比などの形式であってもよい。ある要素範囲の相対的な割合は、検討中の要素データが取得された合計時間のうちで、その要素範囲が発生した合計時間として計算されてもよい。相対的な割合の計算に使用される合計時間は、別のユーザインターフェース画面上に現在表示されている要素信号の合計時間であってもよく、又は、別のユーザインターフェース画面上に現在表示されている時間よりも長い、例えば要素信号データを利用可能な時間又は医師１４が設定した別の時間の合計時間であってもよい。いくつかの例示的な実施形態では、グラフィカルな識別情報の色分けを、異なるパターン化がなされた識別情報並びに／あるいは、異なる複数の要素範囲を区別するための（例えば、力範囲Ａ、力範囲Ｂなどの）文字及び／又は数字を含む任意の適切な形式で置き換えるか、又は補足してもよい。同様に、色分けされた凡例を適切に修正して、グラフィカルな識別情報に適切な凡例を提供してもよい。加えて又は代わりに、別のユーザインターフェース画面のレンダリングにおいて、信号の線を、異なる要素範囲を有する信号の異なる時間セクションを識別する色付け又はフォーマットとしてもよい。
【００８０】
本発明の様々な特徴は、明確性のために別個の実施形態の文脈において記載されているが、これはまた、単一の実施形態において組み合わせて提供されてもよいことが理解されるであろう。逆に、説明を簡単にするために単一の実施形態との関連において述べられる本発明の様々な特徴が、別々に又は任意の好適な部分的組み合わせとして提供される場合もある。
【００８１】
上に述べた例示的な実施形態は例として挙げたものであり、本発明は上記に具体的に示し説明したものに限定されない。むしろ、本発明の範囲は、本明細書で上記された様々な特徴の組み合わせ及び部分的組み合わせの両方、並びに前述の説明を一読すると当業者が想起すると思われる、先行技術に開示されていないそれらの変形及び改変を含む。
【００８２】
〔実施の態様〕
（１）  不整脈を自動的に識別及び表示するためのシステムであって、
被験者の身体に貼付されるように構成され、前記被験者の心臓の電気的活動に応答して信号を出力するように構成された複数の電極と、
ディスプレイと、
プロセッサであって、
前記心臓の様々な不整脈タイプに対応する一連のテンプレートを格納することと、
前記テンプレートを前記信号に適用して、前記信号の１つ以上の異なる時間セクションを前記不整脈タイプのそれぞれ１つに関連付けることと、
前記信号の少なくとも一部及び、前記信号の少なくとも前記一部の前記異なる時間セクションを、これらが関連付けられている前記不整脈タイプの前記それぞれ１つとして識別するグラフィカルな識別情報を含むユーザインターフェース画面を前記ディスプレイにレンダリングすることと、
を行うように構成されている、プロセッサと、
を備える、システム。
（２）  前記グラフィカルな識別情報が、前記不整脈タイプの異なる１つに対して異なる色を使用する色分けされた識別情報である、実施態様１に記載のシステム。
（３）  前記グラフィカルな識別情報が、前記信号の少なくとも前記一部の下又は上のボックス内に配置される、実施態様２に記載のシステム。
（４）  プロセッサが、前記信号に関連付けられた前記不整脈タイプの相対的な割合を計算することと、前記信号の少なくとも前記一部、前記グラフィカルな識別情報、及び前記信号に関連付けられた前記不整脈タイプの前記相対的な割合を示す統計を含む前記ユーザインターフェース画面を前記ディスプレイにレンダリングすることと、を行うように構成されている、実施態様２に記載のシステム。
（５）  前記統計が、複数の凡例キーを有する色分けされた凡例内に配置され、各凡例キーが、前記色分けされた識別情報の１つに対応する前記不整脈タイプの１つをテキスト形式で記述する、実施態様４に記載のシステム。
【００８３】
（６）  プロセッサが、前記信号に関連付けられた前記不整脈タイプの相対的な割合を計算することと、前記信号の少なくとも前記一部、前記グラフィカルな識別情報、及び前記信号に関連付けられた前記不整脈タイプの前記相対的な割合を示す統計を含む前記ユーザインターフェース画面を前記ディスプレイにレンダリングすることと、を行うように構成されている、実施態様１に記載のシステム。
（７）  プロセッサが、前記心臓の分析に使用される要素の変動を説明する別の信号の少なくとも一部と、前記要素の前記変動の異なる範囲を有する前記別の信号の少なくとも前記一部の異なる複数のセクションを識別するグラフィカルな識別情報と、を含む別のユーザインターフェース画面を前記ディスプレイにレンダリングするように構成されており、前記要素が、プローブによって加えられる力、前記プローブへの組織の近接度、前記プローブの速度、サイクル長、前記プローブの位置の安定性、及び局所興奮到達時間（ＬＡＴ）の安定性のうちのいずれか１つから選択される、実施態様１に記載のシステム。
（８）  前記プロセッサが、前記要素の前記変動の前記異なる範囲の相対的な割合を示す統計も含むように前記別のユーザインターフェース画面を生成するように構成されている、実施態様７に記載のシステム。
（９）  不整脈を自動的に識別及び表示するための方法であって、
被験者の心臓の電気的活動に応答して、前記被験者の身体に貼付された複数の電極により出力された信号を受信することと、
前記心臓の様々な不整脈タイプに対応する一連のテンプレートを格納することと、
前記テンプレートを前記信号に適用して、前記信号の１つ以上の異なる時間セクションを前記不整脈タイプのそれぞれ１つに関連付けることと、
前記信号の少なくとも一部、及び前記信号の少なくとも前記一部の前記異なる時間セクションを、これらが関連付けられている前記不整脈タイプの前記それぞれ１つとして識別するグラフィカルな識別情報を含むユーザインターフェース画面をディスプレイにレンダリングすることと、
を含む、方法。
（１０）  前記グラフィカルな識別情報が、前記不整脈タイプの異なる１つに対して異なる色を使用する色分けされた識別情報である、実施態様９に記載の方法。
【００８４】
（１１）  前記グラフィカルな識別情報が、前記信号の少なくとも前記一部の下又は上のボックス内に配置される、実施態様１０に記載の方法。
（１２）  前記信号に関連付けられた前記不整脈タイプの相対的な割合を計算することを更に含み、前記レンダリングが、前記信号の少なくとも前記一部、前記グラフィカルな識別情報、及び前記信号に関連付けられた前記不整脈タイプの前記相対的な割合を示す統計を含む前記ユーザインターフェース画面を前記ディスプレイにレンダリングすることを含む、実施態様１０に記載の方法。
（１３）  前記統計が、複数の凡例キーを有する色分けされた凡例内に配置され、各凡例キーは、前記色分けされた識別情報の１つに対応する前記不整脈タイプの１つをテキスト形式で記述する、実施態様１２に記載の方法。
（１４）  前記信号に関連付けられた前記不整脈タイプの相対的な割合を計算することを更に含み、前記レンダリングが、前記信号の少なくとも前記一部、前記グラフィカルな識別情報、及び前記信号に関連付けられた前記不整脈タイプの前記相対的な割合を示す統計を含む前記ユーザインターフェース画面を前記ディスプレイにレンダリングすることを含む、実施態様９に記載の方法。
（１５）  前記心臓の分析に使用される要素の変動を説明する別の信号の少なくとも一部と、前記要素の前記変動の異なる範囲を有する前記別の信号の少なくとも前記一部の異なる複数のセクションを識別するグラフィカルな識別情報と、を含む別のユーザインターフェース画面を前記ディスプレイにレンダリングすることを更に含み、前記要素は、プローブによって加えられる力、前記プローブへの組織の近接度、前記プローブの速度、サイクル長、前記プローブの位置の安定性、及び局所興奮到達時間（ＬＡＴ）の安定性のうちのいずれか１つから選択される、実施態様９に記載の方法。
【００８５】
（１６）  前記要素の前記変動の前記異なる範囲の相対的な割合を示す統計も含むように前記別のユーザインターフェース画面を生成することを更に含む、実施態様１５に記載の方法。
（１７）  プログラム命令が格納された非一時的なコンピュータ可読媒体を含む、不整脈を自動的に識別及び表示するためのソフトウェア製品であって、前記命令が、中央処理装置（ＣＰＵ）によって読み取られると、前記ＣＰＵに、
被験者の心臓の電気的活動に応答して、前記被験者の身体に貼付された複数の電極により出力された信号を受信させ、
前記心臓の様々な不整脈タイプに対応する一連のテンプレートを格納させ
前記テンプレートを前記信号に適用して、前記信号の１つ以上の異なる時間セクションを前記不整脈タイプのそれぞれ１つに関連付けさせ、
前記信号の少なくとも一部及び、前記信号の少なくとも前記一部の前記異なる時間セクションを、これらが関連付けられている前記不整脈タイプの前記それぞれ１つとして識別するグラフィカルな識別情報を含むユーザインターフェース画面をディスプレイにレンダリングさせる、
ソフトウェア製品。
【図１】
2020093096.tif 000003
【図２】
2020093096.tif 000004
【図３】
2020093096.tif 000005
【図４】
2020093096.tif 000006
【外国語明細書】
2020093096000001.pdf